(57)【要約】【課題】寝姿勢の使用者の咳又はくしゃみを鎮静させることができる寝具装置を提供する。【解決手段】咳・くしゃみ検出部１５１は音センサ１２の出力信号から予め定めた範囲内の継続時間、中断時間、周波数、振幅を有する断続的な信号を、使用者の咳又はくしゃみの音を示す信号として検出する。咳又はくしゃみの信号を検出した場合には、隆起制御部１５２がエアーポンプ１７からエアーを排出させエアーバッグ１３を膨張させて隆起状態にするように制御する。寝具１１の所定位置が隆起することにより、使用者の頸部が押し上げられ、顎の頭頂部に対する位置が上がり、気道が広がり咳を鎮めることができる。【選択図】図１
2015116367.tif 000002
【特許請求の範囲】
【請求項１】
音センサと、
前記音センサの出力信号から、寝姿勢の使用者が発する咳又はくしゃみの音を示す信号を検出する検出部と、
前記検出部が前記咳又は前記くしゃみの信号を検出したときに、寝具の、前記寝姿勢の使用者の頸部から背中の間の予め定めた特定位置の鉛直下方を隆起するように変形させる隆起変形部と、
を備えることを特徴とする寝具装置。
【請求項２】
前記検出部は、前記音センサの出力信号が断続的な信号であって、継続時間、中断時間、周波数及び振幅の少なくともいずれか１つが予め定めた範囲内である場合に、当該信号を前記咳又は前記くしゃみの音を示す信号として検出する、
ことを特徴とする請求項１に記載の寝具装置。
【請求項３】
前記寝姿勢の使用者の発した前記咳又は前記くしゃみを前記音センサで集音して得た信号に基づいて決定した前記継続時間、前記中断時間、前記周波数及び前記振幅の少なくともいずれか１つの範囲を記憶する記憶手段をさらに有し、
前記検出部は、前記音センサの出力信号の前記継続時間、前記中断時間、前記周波数及び前記振幅の少なくともいずれか１つが、前記記憶手段に記憶されている範囲内である場合に、当該信号を前記咳又は前記くしゃみの音を示す信号として検出する、
ことを特徴とする請求項２に記載の寝具装置。
【請求項４】
前記隆起変形部は、前記寝具である枕に対して固定された、前記寝姿勢の使用者の前記特定位置の鉛直下方に位置するエアーバッグと、前記エアーバッグに空気を流入させるエアーポンプと、前記エアーポンプの給排気を制御する隆起制御部と、からなり、
前記隆起制御部は、前記検出部が前記咳又は前記くしゃみを検出した場合に、前記エアーポンプから前記エアーバッグに空気を流入させて、前記エアーバッグを膨らませるように制御する、
ことを特徴とする請求項１乃至３のいずれか１項に記載の寝具装置。
【請求項５】
前記隆起変形部は、前記寝姿勢の使用者が装着可能な前記寝具に備えられ、前記寝姿勢の使用者の頸部、肩部、左右肩甲骨の間の少なくともいずれか１箇所の鉛直下方に位置するエアーバッグと、前記エアーバッグを前記寝姿勢の使用者に固定するための固定具と、前記エアーバッグに空気を流入させるエアーポンプと、前記エアーポンプの給排気を制御する隆起制御部と、からなり、
前記隆起制御部は、前記検出部が前記咳又は前記くしゃみを検出した場合に、前記エアーポンプから前記エアーバッグに空気を流入させて、前記エアーバッグを膨らませるように制御する、
ことを特徴とする請求項１乃至３のいずれか１項に記載の寝具装置。
【請求項６】
前記隆起変形部は、前記寝具であるベッドに回転可能に固定された枕部と、前記枕部の回転を制御する隆起制御部と、からなり、
前記隆起制御部は、前記検出部が前記咳又は前記くしゃみを検出した場合に、前記枕部を予め定めた角度で回転して前記寝姿勢の使用者の前記特定位置の鉛直下方を隆起する、
ことを特徴とする請求項１乃至３のいずれか１項に記載の寝具装置。
【請求項７】
前記隆起変形部は、前記寝具である枕の内部に備えられ前記寝姿勢の使用者の身長方向に垂直の方向に延在し前記身長方向に平行の方向に移動するローラと、前記ローラの移動を制御する隆起制御部と、からなり、
前記隆起制御部は、前記検出部が前記咳又は前記くしゃみを検出した場合に、前記ローラを前記寝姿勢の使用者の前記特定位置の鉛直下方に向かう方向に移動させて前記寝姿勢の使用者の前記特定位置の鉛直下方を隆起する、
ことを特徴とする請求項１乃至３のいずれか１項に記載の寝具装置。
【請求項８】
音センサと、寝具の予め定めた位置を隆起するように変形させる隆起変形部と、を備える寝具装置の制御方法であって、
前記音センサの出力信号から、寝姿勢の使用者が発する咳又はくしゃみの音を示す信号を検出する検出ステップと、
前記隆起変形部が、前記検出ステップで前記咳又は前記くしゃみの信号を検出したときに、寝具の、前記寝姿勢の使用者の頸部から背中の間の予め定めた特定位置の鉛直下方を隆起するように変形させる隆起変形ステップと、
を有することを特徴とする寝具装置制御方法。
【請求項９】
コンピュータを、
音センサの出力信号から、寝姿勢の使用者が発する咳又はくしゃみの音を示す信号を検出する検出部、
前記検出部が前記咳又は前記くしゃみの信号を検出したときに、寝具の、前記寝姿勢の使用者の頸部から背中の間の予め定めた特定位置の鉛直下方を隆起するように制御する隆起制御部、
として機能させるプログラム。
【発明の詳細な説明】
【技術分野】
【０００１】
本発明は、咳又はくしゃみを鎮静させる機能を有する寝具装置、寝具装置の制御方法及びプログラムに関する。
【背景技術】
【０００２】
従来、就寝時に出る咳を抑えるため、就寝前に咳止め薬を服用する等していたが、薬を服用できない場合や薬が十分に効かない場合には、咳が止まらず睡眠の妨げとなることがあった。このような場合、顎の頭頂部に対する位置を少し上げることにより、気道が広がり咳の症状が治まることが知られており、就寝者を看護する者が背中や頸部の下方に枕等を挿入することが行われていた。また、くしゃみが出る場合にも、気道を開かせることで鼻腔病変への刺激を最小限に抑制できるため、同様に就寝者の背中や頸部の下方に枕等を挿入することが行われていた。
【０００３】
枕等の挿入に代えて、背中や頸部を押し上げる為に枕の形状を変えるための装置がある（例えば、特許文献１）。
【０００４】
特許文献１に記載の枕下敷用いびき防止装置等は、枕の下方に挿入した主エアーバッグ、補助エアーバッグに給気することによりエアーバッグを膨張させ、背中や頸部を押し上げることによりいびきを防止できると説明されている。
【先行技術文献】
【特許文献】
【０００５】
【特許文献１】特開２００６−１０１９３４号公報
【発明の概要】
【発明が解決しようとする課題】
【０００６】
特許文献１の枕下敷用いびき防止装置等は、いびきセンサによりいびきを検出したときにエアーバッグを膨張させる機能を有していた。しかし、いびきと咳やくしゃみとは発せられる音のパターンが異なり、いびきセンサで咳やくしゃみは検出することができない。また、咳やくしゃみを正確に検出してこれらを鎮静させるための装置は従来存在していなかった。
【０００７】
本発明は、上記事情に鑑みてなされたものであり、寝姿勢の使用者の咳又はくしゃみを鎮静させることができる寝具装置を提供することを目的とする。
【課題を解決するための手段】
【０００８】
上記目的を達成するため、本発明の第１の観点に係る寝具装置は、
音センサと、
前記音センサの出力信号から、寝姿勢の使用者が発する咳又はくしゃみの音を示す信号を検出する検出部と、
前記検出部が前記咳又は前記くしゃみの信号を検出したときに、寝具の、前記寝姿勢の使用者の首から背中の間の予め定めた特定位置の鉛直下方を隆起するように変形させる隆起変形部と、
を備えることを特徴とする。
【０００９】
前記検出部は、前記音センサの出力信号が断続的な信号であって、継続時間、中断時間、周波数及び振幅の少なくともいずれか１つが予め定めた範囲内である場合に、当該信号を前記咳又は前記くしゃみの音を示す信号として検出するようにしてもよい。
【００１０】
前記寝姿勢の使用者の発した前記咳又は前記くしゃみを前記音センサで集音して得た信号に基づいて決定した前記継続時間、前記中断時間、前記周波数及び前記振幅の少なくともいずれか１つの範囲を記憶する記憶手段をさらに有し、
前記検出部は、前記音センサの出力信号の前記継続時間、前記中断時間、前記周波数及び前記振幅の少なくともいずれか１つが、前記記憶手段に記憶されている範囲内である場合に、当該信号を前記咳又は前記くしゃみの音を示す信号として検出するようにしてもよい。
【００１１】
前記隆起変形部は、前記寝具である枕に対して固定された、前記寝姿勢の使用者の前記特定位置の鉛直下方に位置するエアーバッグと、前記エアーバッグに空気を流入させるエアーポンプと、前記エアーポンプの給排気を制御する隆起制御部と、からなり、
前記隆起制御部は、前記検出部が前記咳又は前記くしゃみを検出した場合に、前記エアーポンプから前記エアーバッグに空気を流入させて、前記エアーバッグを膨らませるように制御するようにしてもよい。
【００１２】
前記隆起変形部は、前記寝姿勢の使用者が装着可能な前記寝具に備えられ、前記寝姿勢の使用者の頸部、肩部、左右肩甲骨の間の少なくともいずれか１箇所の鉛直下方に位置するエアーバッグと、前記エアーバッグを前記寝姿勢の使用者に固定するための固定具と、前記エアーバッグに空気を流入させるエアーポンプと、前記エアーポンプの給排気を制御する隆起制御部と、からなり、
前記隆起制御部は、前記検出部が前記咳又は前記くしゃみを検出した場合に、前記エアーポンプから前記エアーバッグに空気を流入させて、前記エアーバッグを膨らませるように制御するようにしてもよい。
【００１３】
前記隆起変形部は、前記寝具であるベッドに回転可能に固定された枕部と、前記枕部の回転を制御する隆起制御部と、からなり、
前記隆起制御部は、前記検出部が前記咳又は前記くしゃみを検出した場合に、前記枕部を予め定めた角度で回転して前記寝姿勢の使用者の前記特定位置の鉛直下方を隆起するようにしてもよい。
【００１４】
前記隆起変形部は、前記寝具である枕の内部に備えられ前記寝姿勢の使用者の身長方向に垂直の方向に延在し前記身長方向に平行の方向に移動するローラと、前記ローラの移動を制御する隆起制御部と、からなり、
前記隆起制御部は、前記検出部が前記咳又は前記くしゃみを検出した場合に、前記ローラを前記寝姿勢の使用者の前記特定位置の鉛直下方に向かう方向に移動させて前記寝姿勢の使用者の前記特定位置の鉛直下方を隆起するようにしてもよい。
【００１５】
また、本発明の第２の観点に係る寝具装置制御方法は、
音センサと、寝具の予め定めた位置を隆起するように変形させる隆起変形部と、を備える寝具装置の制御方法であって、
前記音センサの出力信号から、寝姿勢の使用者が発する咳又はくしゃみの音を示す信号を検出する検出ステップと、
前記隆起変形部が、前記検出ステップで前記咳又は前記くしゃみの信号を検出したときに、寝具の、前記寝姿勢の使用者の頸部から背中の間の予め定めた特定位置の鉛直下方を隆起するように変形させる隆起変形ステップと、
を有することを特徴とする。
【００１６】
また、本発明の第３の観点に係るプログラムは、
コンピュータを、
音センサの出力信号から、寝姿勢の使用者が発する咳又はくしゃみの音を示す信号を検出する検出部、
前記検出部が前記咳又は前記くしゃみの信号を検出したときに、寝具の、前記寝姿勢の使用者の首から背中の間の予め定めた特定位置の鉛直下方を隆起するように制御する隆起制御部、
として機能させることを特徴とする。
【発明の効果】
【００１７】
本発明によれば、寝姿勢の使用者の咳又はくしゃみを鎮静させることができる。
【図面の簡単な説明】
【００１８】
【図１】実施の形態１に係る寝具装置の構成を示す図である。
【図２】エアーポンプの側面図である。
【図３】エアーバッグと枕を説明するための図である。（ａ）は上面図である。（ｂ）は側面図である。（ｃ）はエアーバッグを膨らませたときの側面図である。
【図４】隆起制御処理を示すフローチャートである。
【図５】音センサ出力電圧の波形を示す図である。
【図６】エアーバッグを説明するための図である。（ａ）は上面図である。（ｂ）は初期状態の断面図である。（ｃ）、（ｄ）は隆起状態の断面図である。
【図７】実施の形態２に係る寝具装置の構成を示す図である。
【図８】寝具を説明するための図である。（ａ）初期状態の側面図である。（ｂ）は隆起状態の側面図である。
【図９】寝具の内部構造を説明するための図である。（ａ）初期状態の内部構造を上から見た図である。（ｂ）初期状態の内部構造を側方から見た図である。（ｃ）は隆起状態の内部構造を側方から見た図である。
【図１０】寝具の内部構造を説明するための図である。（ａ）初期状態の内部構造を上から見た図である。（ｂ）初期状態の内部構造を側方から見た図である。（ｃ）は隆起状態の内部構造を側方から見た図である。
【発明を実施するための形態】
【００１９】
（実施の形態１）
本発明の実施の形態１について図面を参照して詳細に説明する。
【００２０】
本実施の形態に係る寝具装置１は、図１に示すように、音センサ１２、エアーバッグ１３、コントローラ１４、エアーポンプ１７を備える。音センサ１２とエアーバッグ１３は、寝具１１に備えられている。エアーバッグ１２とエアーポンプ１７の間には、空気が通る空気配管１８が備えられている。
【００２１】
音センサ１２は、入力される音信号を電圧信号に変換して出力するセンサであり、マイクロフォン等から構成される。
【００２２】
エアーバッグ１３は、給排気口を有する袋状体であり、エアーポンプ１７が空気配管１８を介して給排気口から空気を流入させることにより膨張し、エアーポンプ１７が空気配管１８を介して給排気口から空気を吸出することにより収縮する。
【００２３】
エアーポンプ１７は、吸排気速度が遅いポンプであり、例えば、エアーバッグ１３が所定の大きさまで膨張するのに３〜４秒要するような排気速度で駆動する。また、周囲の埃の舞い上がりを防ぐために、外部排気のないものが望ましい。例えば、吸入した空気をエアータンクに一時的に蓄え、その蓄えた空気を排出する循環型でもよい。あるいは、エアーポンプ１７は図２に示すように、ＤＣ（Direct Current；直流）モータ１７１により回転するギア１７２が支持部１７３に対して上下動することにより伸縮する蛇腹状のエアータンク１７４を有し、エアータンク１７４を収縮させることによりエアーバッグ１３に対して排気し、エアータンク１７４を膨張させることによりエアーバッグ１３から吸気するタイプのポンプでもよい。ここで、エアーバッグ１３の容量とエアータンク１７４の容量は略同じである。
【００２４】
本実施の形態において、寝具１１は、図３（ａ）〜（ｃ）に示すような枕であり、エアーバッグ１３は、図３（ａ）（ｂ）に示すように枕（寝具１１）に対して固定されている。エアーバッグ１３は、使用者が寝姿勢で寝具１１に頭部２１を載せているとき、頸部２２の鉛直下方に位置する。そして、音センサ１２は、図３（ａ）に示すように寝具１１に載せられた頭部２１の側方に２つ備えられている。
【００２５】
エアーバッグ１３に空気が入っていないときは、図３（ｂ）に示すように寝具１１である枕は略平坦である（初期状態）。エアーバッグ１３に空気が入り膨張すると、図３（ｃ）に示すように、寝具１１の、頸部２２の鉛直下方がエアーバッグ１３に押し上げられて隆起し、寝具１１の隆起部とエアーバッグ１３が人の頸部２２を押し上げる（隆起状態）。
【００２６】
コントローラ１４は、ＣＰＵ（Central Processing Unit；中央処理装置）１５と記憶部１６を備える。ＣＰＵ１５は、記憶部１６に記憶されているプログラムを実行することにより、咳・くしゃみ検出部１５１、隆起制御部１５２として機能する。咳・くしゃみ検出部１５１は、音センサ１２の出力信号から咳・くしゃみを示す信号を検出する。隆起制御部１５２は、咳・くしゃみ検出部１５１の検出信号に基づいて、エアーバッグ１３に対して給排気するエアーポンプ１７を制御することにより、初期状態から隆起状態に変化させ、また、隆起状態から初期状態に変化させる。ここで、隆起制御部１５２とエアーバッグ１３とエアーポンプ１７は隆起変形部として機能する。
【００２７】
記憶部１６は、ハードディスク、メモリカード、フラッシュメモリ等の記憶装置からなり、ユーザ情報や、ユーザの咳又はくしゃみの音を示すデータや、咳又はくしゃみの音を判定するための判定用閾値等を記憶している。記憶部１６には、ＣＰＵ１５が実行する隆起制御処理のプログラムも記憶している。
【００２８】
以上のように構成された寝具装置１において、コントローラ１４のＣＰＵ１５が実行する隆起制御処理について、図４のフローチャートを用いて説明する。
【００２９】
隆起制御処理は、寝姿勢になる使用者又は使用者を看護する者等が電源を投入したときにスタートする。まず、使用者等の操作入力によりユーザＩＤを取得する（ステップＳ１０１）。そして記憶部１６にユーザＩＤに対応して記憶されている判定用閾値を読み出す（ステップＳ１０２）。この判定用閾値は、咳又はくしゃみの音を示す信号が検出されたか否かを判定するための閾値であり、信号の継続時間、中断時間、周波数、振幅等の範囲の上限と下限を示す値である。
【００３０】
その後、使用者等による終了指示の有無を判定し（ステップＳ１０３）、終了指示がない場合には（ステップＳ１０３；Ｎｏ）、音センサ１２の出力信号から咳・くしゃみを示す信号が検出したか否かを判定する（ステップＳ１０４）。
【００３１】
音センサ１２に咳又はくしゃみの音が入力されたときの音センサ１２の出力電圧信号は、図５に示すように断続的な信号となる。この断続的な信号は、所定範囲の継続時間ｔａの継続部Ａと所定範囲の中断時間ｔｂの中断部Ｂからなる。また、継続部Ａの信号は所定範囲の周波数と、所定範囲の振幅を有する。
【００３２】
記憶部１６に継続時間ｔａ、中断時間ｔｂ、周波数、振幅の上限値、下限値をそれぞれ判定用閾値として記憶しておく。ステップＳ１０２では、その閾値を読み出し、ステップＳ１０４では、上限値と下限値の間の継続時間ｔａ、中断時間ｔｂ、周波数、振幅を有する断続的な信号を検出し、継続部Ａを所定回数以上検出したときに咳又はくしゃみを検出したと判定する。
【００３３】
ステップＳ１０２で記憶部１６より読み出す判定用閾値は、使用者等が予め入力した値でもよいし、過去に音センサ１２で使用者の咳又はくしゃみの音を変換した電圧信号に基づいて決定した値でもよい。例えば、継続時間の上限値を４５０ｍｓｅｃ、下限値を１５０ｍｓｅｃ、中断時間の上限値を５０００ｍｓｅｃ、下限値を５００ｍｓｅｃ、周波数の上限値を４０００Ｈｚ、下限値を２０００Ｈｚ、振幅の上限値を１．５Ｖ、下限値を０．７Ｖとする。
【００３４】
ステップＳ１０４で、上限値と下限値（判定用閾値）の間の継続時間ｔａ、中断時間ｔｂ、周波数、振幅を有し、所定回数以上の継続部Ａを有する断続的な信号を検出し、咳・くしゃみを検出したと判定したときは（ステップＳ１０４；Ｙｅｓ）、隆起状態にセットする（ステップＳ１０５）。本実施の形態では、エアーポンプ１７から空気を排出しエアーバッグ１３を膨張させることによりエアーバッグ１３を隆起状態にセットする。その後、ステップＳ１０３に戻る。
【００３５】
ステップＳ１０４で、咳又はくしゃみを検出しないと判定したときには（ステップＳ１０４；Ｎｏ）、隆起状態であるかを判定する（ステップＳ１０６）。つまり、ステップＳ１０４で一旦咳又はくしゃみを検出した後、咳又はくしゃみが鎮静し、咳又はくしゃみを示す信号が検出されなくなった状態であるか否かを判定する。隆起状態でない場合には（ステップＳ１０６；Ｎｏ）、咳又はくしゃみを検出しない状態が継続しているため、ステップＳ１０３に戻る。
【００３６】
ステップＳ１０６で隆起状態であると判定した場合には（ステップＳ１０６；Ｙｅｓ）、咳又はくしゃみの信号を検出しなくなってから、所定時間が経過したか否かを判定する（ステップＳ１０７）。咳又はくしゃみの信号を検出しなくなってから、所定時間が経過していない場合には（ステップＳ１０７；Ｎｏ）、ステップＳ１０３に戻り、所定時間が経過するまで、ステップＳ１０３〜Ｓ１０７の処理を繰り返す。
【００３７】
咳又はくしゃみの信号を検出しなくなってから、所定時間が経過した場合には（ステップＳ１０７；Ｙｅｓ）、咳又はくしゃみが鎮静したと判断できるため、エアーバッグ１３を初期状態にセットする（ステップＳ１０８）。本実施の形態では、エアーポンプ１７がエアーバッグ１３から空気を吸出しエアーバッグ１３を収縮させることによりエアーバッグ１３を初期状態にセットする。その後、ステップＳ１０３に戻る。
【００３８】
ステップＳ１０３で使用者等による終了指示があった場合には（ステップＳ１０３；Ｙｅｓ）、エアーバッグ１３を初期状態にセットしてから（ステップＳ１０９）、終了する。ステップＳ１０３で随時使用者等の終了指示の有無を確認するため、使用者が隆起状態を不快に感じた場合や、隆起状態にしても咳又はくしゃみの鎮静に効果がなかった場合等に使用者等の終了指示に基づいてエアーバッグを初期状態に戻すことができる。
【００３９】
以上説明したように、本実施の形態においては、寝具装置１は、咳・くしゃみ検出部１５１が音センサ１２の出力信号から予め定めた範囲内の継続時間、中断時間、周波数、振幅を有する断続的な信号を、咳又はくしゃみの音を示す信号として検出した場合に、隆起制御部１５２がエアーポンプ１７からエアーを排出させエアーバッグ１３を膨張させて隆起状態にするように制御した。これにより、使用者の咳が発せられたときに、使用者の頸部２２をエアーバッグ１３が押し上げることにより顎の頭頂部に対する位置が少し上がり、気道が広がり咳を鎮めることができる。また、使用者のくしゃみが発せされたときにも、顎の頭頂部に対する位置を少し上げることにより、気道を開かせて鼻腔病変への刺激を最小限に抑制し、くしゃみを鎮めることができる。
【００４０】
なお、エアーバッグ１３を備える寝具１１は図６に示すような使用者が装着可能な着衣タイプであってもよい。図６において、（ａ）は、寝具１１の上方から見た図であり、（ｂ）〜（ｄ）は、（ａ）のＡ−Ａ’における断面から矢印の方向を見た図を示している。着衣タイプの寝具１１は、図６（ａ）、（ｂ）に示すように３種類のエアーバッグ１３−１、１３−２、１３−３を備え、エアーバッグ１３−１が寝姿勢の使用者の頸部の鉛直下方に位置し、エアーバッグ１３−２が左右の肩甲骨の間の鉛直下方に位置し、エアーバッグ１３−３が肩部の鉛直下方に位置する。寝具１１は、使用者の身体に固定するための、固定布３１、肩バンド３２、胴バンド３３を更に備えている。
【００４１】
図４のフローチャートのステップＳ１０５で隆起状態にセットする処理において、エアーポンプ１７が空気を排出し、３種類のエアーバッグ１３−１、１３−２、１３−３が膨張するが、これらは同時に膨張してもよいし、任意の順番で１つずつ膨張させてもよい。
【００４２】
例えば、図６（ｃ）に示すように、最初に咳又はくしゃみを検出したときに、右肩３５の鉛直下方に備えたエアーバッグ１３−３を膨張させて、一定時間後に咳又はくしゃみが鎮まっていない場合には、図６（ｄ）に示すように使用者の胴体３４の右肩甲骨に近い方のエアーバッグ１３−２を膨張させるようにしてもよい。更に一定時間後に頸部の鉛直下方のエアーバッグ１３−１を膨張させるようにしてもよい。膨張させる順番を使用者等が設定できるようにしてもよい。
【００４３】
また、左右の肩甲骨の間の鉛直下方に位置するエアーバッグ１３−２の、固定布３１と反対側の面に振動子を設置して、所定時間間隔でタップ振動するタッピング機能を有していてもよい。これにより、咽頭部等の異物やタンを排出させることができる。
【００４４】
（実施の形態２）
本発明の実施の形態２について図面を参照して詳細に説明する。
【００４５】
本実施の形態に係る寝具装置５は、図７に示すように、音センサ１２、隆起部５３、コントローラ１４を備える。音センサ１２と隆起部５３は、寝具５１に備えられている。音センサ１２、コントローラ１４の構成及びコントローラ１４のＣＰＵ１５が実行する処理は実施の形態１と同様である。本実施の形態では、隆起部５３とコントローラ１４の隆起制御部１５２が隆起変形部として機能する。
【００４６】
寝具５１は、図８（ａ）（ｂ）に示すようなベッドであり、寝具５１に備えられた隆起部５３は、寝姿勢の使用者の後頭部の鉛直下方に備えられ、ベッド（寝具５１）に対して回転可能に固定された枕部である。音センサ１２は隆起部５３（枕部）に載せられる頭部２１の側方に２つ備えている。
【００４７】
図４のフローチャートのステップＳ１０５で隆起状態にセットする処理は、図８（ｂ）に示すように、隆起部５３である枕部が回転軸６２を軸として矢印の方向に回転し使用者の頸部の鉛直下方に位置する部分を隆起させる処理である。つまりコントローラ１４のＣＰＵ１５の隆起制御部１５２がステップＳ１０５において、隆起状態にセットする命令信号を隆起部５３に出力すると、回転軸６２に動力を伝えるモータが回転し、予め定めた回転角だけ隆起部５３を回転させる。
【００４８】
そして、図４のフローチャートのステップＳ１０８、Ｓ１０９で初期状態にセットする処理は、隆起部５３である枕部が回転軸６２を軸として矢印と逆の方向に回転し図８（ａ）に示すような隆起部５３（枕部）が略平坦な状態に戻す処理である。
【００４９】
以上説明したように、本実施の形態においては、隆起部５３を、ベッドに対して回転可能に固定された枕部で構成し、咳又はくしゃみが発せられたと判定した場合に隆起制御部１５２が隆起状態にセットする際に、隆起部５３を回転させて、頸部の鉛直下方に位置する部分を隆起させるようにした。これにより、エアーポンプのない簡易な構成で、顎の頭頂部に対する位置を少し上げることにより、気道が広がり咳等を鎮めることができる。
【００５０】
（実施の形態３）
本発明の実施の形態３について図面を参照して詳細に説明する。
【００５１】
本実施の形態に係る寝具装置５は、実施の形態２と同様に、図７に示す音センサ１２、隆起部５３、コントローラ１４を備える。音センサ１２と隆起部５３は、寝具５１に備えられている。音センサ１２、コントローラ１４の構成及びコントローラ１４のＣＰＵ１５が実行する処理は実施の形態１、２と同様である。本実施の形態では、隆起部５３とコントローラ１４の隆起制御部１５２が隆起変形部として機能する。
【００５２】
寝具５１は、図９（ａ）（ｂ）に示すような枕であり、寝具５１に備えられた隆起部５３は、枕の内部に備えられたローラである。音センサ１２は枕（寝具５１）に載せられる頭部２１の側方に２つ備えられている。ローラは、寝姿勢の使用者の身長方向に垂直の方向に延在し身長方向に平行の方向（方向Ｃ）に移動することができる。
【００５３】
寝具５１である枕には、図９（ａ）に示すように隆起部５３であるローラの延在方向に直交する方向に敷設されたガイドレール７２を、寝具５１の端に２つ備えている。
隆起部５３であるローラにはＤＣモータ付きの回転軸７１を備えている。ＤＣモータを回転駆動することにより、回転軸７１がガイドレール７２上を回転することにより、隆起部５３は方向Ｃに移動する。
【００５４】
図４のフローチャートのステップＳ１０５で隆起状態にセットする処理は、図９（ｃ）に示すように、隆起部５３であるローラを方向Ｃに移動させて、枕（寝具５１）の、使用者の頸部２２の鉛直下方に位置する部分を隆起させる処理である。つまりコントローラ１４のＣＰＵ１５の隆起制御部１５２がステップＳ１０５において、隆起状態にセットする命令信号を隆起部５３に出力すると、回転軸７１のＤＣモータを回転駆動させ、予め定めた位置まで隆起部５３を移動させる。
【００５５】
そして、図４のフローチャートのステップＳ１０８、Ｓ１０９で初期状態にセットする処理は、隆起部５３であるローラを、方向Ｃと逆の方向に移動させ図９（ｂ）に示すように隆起部５３を頭頂部近傍にセットする。これにより頸部の鉛直下方の隆起を元に戻し枕を略平坦に戻す。
【００５６】
以上説明したように、本実施の形態においては、隆起部５３を、枕の内部に移動可能に備えたローラで構成し、咳又はくしゃみが発せられたと判定した場合に隆起制御部１５２が隆起状態にセットする際に、隆起部５３のローラをガイドレール７２に沿って移動させて、頸部の鉛直下方に位置する部分を隆起させるようにした。これにより、エアーポンプのない簡易な構成で、顎の頭頂部に対する位置を少し上げることにより、気道が広がり咳等を鎮めることができる。
【００５７】
なお、隆起部５３のローラの移動方法は他の任意の方法でもよい。例えば、図９のローラの延在方向に直交する方向に設置されたガイドレール７２に代えて、図１０（ａ）のように、ガイドチェーン７３を寝具５１の端に２つ備え、ローラのＤＣモータ付の回転軸７１をガイドチェーン７３に嵌合させながら回転して、方向Ｃ及びその逆方向に移動するようにしてもよい。
【００５８】
ローラ（隆起部５３）の回転軸７１はガイドチェーン７３の下方を回転しながら進むが、ガイドチェーン７３は、チェーンテンショナー７４でチェーンの弛みを調整し常に張った状態を保っているため、回転軸７１がガイドチェーン７３から離れることなく確実にローラを移動させることができる。図４のフローチャートのステップＳ１０５において隆起部５３であるローラを方向Ｃに移動させて、図１０（ｃ）に示すように枕（寝具５１）の、使用者の頸部２２の鉛直下方に位置する部分を隆起させる。そして、図４のフローチャートのステップＳ１０８、Ｓ１０９において、隆起部５３であるローラを、方向Ｃと逆の方向に移動させ図１０（ｂ）に示すように隆起部５３を頭頂部近傍にセットする。
【００５９】
このように本発明は、音センサの出力信号から、寝姿勢の使用者が発する咳又はくしゃみの音を示す信号を検出し、検出部が咳又は前記くしゃみの信号を検出したときに、使用者の頸部から背中の間の予め定めた位置が隆起するようにした。これにより、寝姿勢の使用者の咳又はくしゃみを鎮静させることができる。
【００６０】
なお、本発明は、上記実施の形態に限定されず、本発明の要旨を逸脱しない範囲での種々の変更は勿論可能である。
【００６１】
例えば、上記実施の形態において、音センサ１２が出力する信号が、予め定めた範囲内の継続時間、中断時間、周波数、振幅を有する場合に、咳又はくしゃみを検出するとしたが、これらのパラメータの少なくとも１つパラメータが予め定めた範囲内であった場合に咳又はくしゃみを検出するようにしてもよい。また、継続時間内における周波数の変化量等、他のパラメータを用いて咳又はくしゃみを示す信号か否かを判断してもよい。
【００６２】
また、音センサ１２が出力する電圧信号の継続時間、中断時間、周波数、振幅が所定範囲内であることにより、咳又はくしゃみを検出するとしたが、これらのパラメータの範囲をいびき音に適合させることにより、いびき音も検出することができる。いびき音を検出した時にエアーバッグ１３を膨らませ、又は隆起部５３を隆起することにより、いびきを低減又は停止させることができる。また、無呼吸症候群の人の特有のいびき音（短時間のいびき音等）を検出し、一定期間の中断時間後にいびき音を再度検出した場合にもエアーバッグ１３を膨らませ、又は隆起部５３を隆起することにより、気道を広げることができ、無呼吸症候群の症状を緩和することができる。
【００６３】
また、寝具１１、５１において隆起させる部分は寝姿勢の使用者の頸部の鉛直下方であるとしたが、頸部から背中の間の任意の位置を隆起させるようにしてもよい。また、使用者が、隆起させる位置を設定できるようにしてもよい。
【００６４】
また、コントローラ１４のＣＰＵ１５が実行した隆起制御処理のプログラムを、既存のコンピュータ等の情報端末で実行させることにより、当該情報端末を本発明に係るコントローラ５０として機能させることも可能である。
【００６５】
このようなプログラムの配布方法は任意であり、例えば、ＣＤ−ＲＯＭ（Compact Disc Read-Only Memory）、ＤＶＤ（Digital Versatile Disc）、ＭＯ（Magneto Optical Disc）、メモリカード等のコンピュータ読み取り可能な記録媒体に格納して配布してもよいし、インターネット等の通信ネットワークを介して配布してもよい。
【符号の説明】
【００６６】
１、５…寝具装置
１１、５１…寝具
１２…音センサ
１３、１３−１、１３−２、１３−３…エアーバッグ
１４…コントローラ
１５…ＣＰＵ
１５１…咳・くしゃみ検出部
１５２…隆起制御部
１６…記憶部
１７…エアーポンプ
１７１…ＤＣモータ
１７２…ギア
１７３…支持部
１７４…エアータンク
１８…空気配管
２１…頭部
２２…頸部
３１…固定布
３２…肩バンド
３３…胴バンド
３４…胴体
３５…右肩
５３…隆起部
６２、７１…回転軸
７２…ガイドレール
７３…ガイドチェーン
７４…チェーンテンショナー
【図１】
2015116367.tif 000003
【図２】
2015116367.tif 000004
【図３】
2015116367.tif 000005
【図４】
2015116367.tif 000006
【図５】
2015116367.tif 000007
【図６】
2015116367.tif 000008
【図７】
2015116367.tif 000009
【図８】
2015116367.tif 000010
【図９】
2015116367.tif 000011
【図１０】
2015116367.tif 000012